【手続補正書】
【提出日】平成23年12月28日(2011.12.28)
【手続補正１】
【補正対象書類名】明細書
【補正対象項目名】００１０
【補正方法】変更
【補正の内容】
【００１０】
上記目的は、撮像光学系を介して入射した被写体像光を逐次撮像して画像を取得する撮像手段と、前記撮像手段により取得された画像から合焦すべき被写体を検出する被写体検出手段と、焦点検出領域での前記撮像光学系の焦点状態を検出する焦点検出手段と、前記焦点検出手段により検出された焦点状態に基づいて前記撮像光学系を移動させる焦点調節手段と、前記焦点調節手段により前記撮像光学系が移動される前の前記撮像光学系の位置を記憶する記憶手段とを備え、前記焦点調節手段は、前記検出された被写体のサイズ及び当該被写体の領域と前記焦点検出領域との位置関係に応じて前記焦点検出領域による焦点調節ができるか否かを判定し、前記焦点検出領域による焦点調節ができないと判定した場合に、前記焦点検出領域により検出された前記焦点状態に基づく第１の合焦位置と、前記記憶手段に記憶された第２の合焦位置とに基づいて、前記撮像光学系の位置を制御し、前記第２の合焦位置は、前記焦点検出手段により所定周期前に検出された合焦位置であることを特徴とする本発明による撮像装置によって達成される。
【手続補正２】
【補正対象書類名】明細書
【補正対象項目名】００１１
【補正方法】変更
【補正の内容】
【００１１】
また、上記目的は、撮像装置の制御方法であって、被写体検出手段が、撮像光学系を介して入射した被写体像光を撮像する撮像手段により逐次撮像された撮像画像から合焦すべき被写体を検出する被写体検出工程と、焦点検出手段が、焦点検出領域での前記撮像光学系の焦点状態を検出する焦点検出工程と、焦点調節手段が、前記焦点検出工程により検出された焦点状態に基づいて前記撮像光学系を移動させる焦点調節工程と、記憶手段が、前記焦点調節工程により前記撮像光学系が移動される前の前記撮像光学系の位置を記憶する記憶工程とを有し、前記焦点調節工程では、前記検出された被写体のサイズ及び当該被写体の領域と前記焦点検出領域との位置関係に応じて前記焦点検出領域による焦点調節ができるか否かを判定し、前記焦点検出領域による焦点調節ができないと判定した場合、前記焦点検出領域により検出された前記焦点状態に基づく第１の合焦位置と、前記記憶手段に記憶された第２の合焦位置とに基づいて、前記撮像光学系の位置を制御し、前記第２の合焦位置は、前記焦点検出手段により所定周期前に検出された合焦位置であることを特徴とする本発明による撮像装置の制御方法によっても達成される。
【手続補正３】
【補正対象書類名】明細書
【補正対象項目名】００５２
【補正方法】変更
【補正の内容】
【００５２】
図１０（ａ）〜図１０（ｄ）は、図９と同様な表示態様で、顔の検出位置や大きさが異なる４パターンのそれぞれの様子を示したものである。図１０（ａ）は、顔検出位置が外測ＡＦセンサの検出領域である測距枠Ｃ内にある場合を示した図である。このように、測距枠Ｃ（焦点検出領域）内に顔検出による顔検出枠Ｂがある状態の時には、顔検出枠Ｂの顔にＡＦするにあたり、外測ＡＦセンサの測距結果を用いることが可能である。
【手続補正４】
【補正対象書類名】明細書
【補正対象項目名】００７１
【補正方法】変更
【補正の内容】
【００７１】
Ｓ５１４において所定値以上の差がある場合、ＣＰＵ１１０は、Ｓ５１５に処理を進め、ロードされた５Ｖ前の合焦距離に合焦するようにフォーカスレンズを駆動する。すなわち、ＣＰＵ１１０は、顔に応じて設定された合焦領域による焦点調節に先立って、５Ｖ前の顔検出が行われた撮像画像の撮像時点におけるフォーカスレンズの位置へフォーカスレンズを移動させる。
【手続補正５】
【補正対象書類名】特許請求の範囲
【補正対象項目名】全文
【補正方法】変更
【補正の内容】
【特許請求の範囲】
【請求項１】
撮像光学系を介して入射した被写体像光を逐次撮像して画像を取得する撮像手段と、
前記撮像手段により取得された画像から合焦すべき被写体を検出する被写体検出手段と、
焦点検出領域での前記撮像光学系の焦点状態を検出する焦点検出手段と、
前記焦点検出手段により検出された焦点状態に基づいて前記撮像光学系を移動させる焦点調節手段と、
前記焦点調節手段により前記撮像光学系が移動される前の前記撮像光学系の位置を記憶する記憶手段とを備え、
前記焦点調節手段は、前記検出された被写体のサイズ及び当該被写体の領域と前記焦点検出領域との位置関係に応じて前記焦点検出領域による焦点調節ができるか否かを判定し、前記焦点検出領域による焦点調節ができないと判定した場合に、前記焦点検出領域により検出された前記焦点状態に基づく第１の合焦位置と、前記記憶手段に記憶された第２の合焦位置とに基づいて、前記撮像光学系の位置を制御し、
前記第２の合焦位置は、前記焦点検出手段により所定周期前に検出された合焦位置であることを特徴とする撮像装置。
【請求項２】
前記焦点調節手段は、前記焦点検出領域による焦点調節ができないと判定した場合、前記第１の合焦位置と前記第２の合焦位置との差が所定以上であれば、前記第２の合焦位置へ前記撮像光学系を移動させ、所定以上でなければ、前記第１の合焦位置へ前記撮像光学系を移動させることを特徴とする請求項１に記載の撮像装置。
【請求項３】
前記焦点調節手段は、前記焦点検出領域による焦点調節ができると判定した場合、前記第１の合焦位置へ前記撮像光学系を移動させることを特徴とする請求項１又は２に記載の撮像装置。
【請求項４】
前記焦点検出手段は、前記焦点検出領域に対応する領域における被写体像の位相差に基づいて焦点状態を検出する第１の検出手段と、前記撮像手段により取得された画像のコントラストに基づいて焦点状態を検出する第２の検出手段とを備えることを特徴とする請求項１乃至３のいずれか１項に記載の撮像装置。
【請求項５】
前記被写体検出手段により被写体が検出される時刻の間隔を検出する時間間隔検出手段を備え、
前記焦点調節手段は、前記間隔が予め設定された範囲内である場合には、前記第１の検出手段による検出結果を用いずに、前記被写体検出手段により検出された被写体を含む領域において前記第２の検出手段により検出された焦点状態に基づいて前記撮像光学系を移動させることを特徴とする請求項１に記載の撮像装置。
【請求項６】
前記被写体検出手段は、合焦すべき被写体として顔を検出することを特徴とする請求項１乃至５のいずれか１項に記載の撮像装置。
【請求項７】
撮像装置の制御方法であって、
被写体検出手段が、撮像光学系を介して入射した被写体像光を撮像する撮像手段により逐次撮像された撮像画像から合焦すべき被写体を検出する被写体検出工程と、
焦点検出手段が、焦点検出領域での前記撮像光学系の焦点状態を検出する焦点検出工程と、
焦点調節手段が、前記焦点検出工程により検出された焦点状態に基づいて前記撮像光学系を移動させる焦点調節工程と、
記憶手段が、前記焦点調節工程により前記撮像光学系が移動される前の前記撮像光学系の位置を記憶する記憶工程とを有し、
前記焦点調節工程では、前記検出された被写体のサイズ及び当該被写体の領域と前記焦点検出領域との位置関係に応じて前記焦点検出領域による焦点調節ができるか否かを判定し、前記焦点検出領域による焦点調節ができないと判定した場合、前記焦点検出領域により検出された前記焦点状態に基づく第１の合焦位置と、前記記憶手段に記憶された第２の合焦位置とに基づいて、前記撮像光学系の位置を制御し、
前記第２の合焦位置は、前記焦点検出手段により所定周期前に検出された合焦位置であることを特徴とする撮像装置の制御方法。